(57)【特許請求の範囲】
【請求項１】
ランニングシューズまたはサイクリング用シューズのいずれかであるスポーツシューズであり、且つ、ソール（２）と、前記ソール（２）から立ち上がるアッパー（３）とを備えるスポーツシューズにおいて、前記アッパー（３）は、内側部または中核部（３ｃ）を備え、前記内側部または中核部（３ｃ）は、前記内側部または中核部（３ｃ）の内容積によって使用の際に画定される、使用者の足のための内側筐体容積（ＲＺ）を有し、前記内側部または中核部（３ｃ）は前記スポーツシューズの前記アッパー（３）の内側に配置され、かつ、前記内側部または中核部（３ｃ）がアッパー形状部分（３ｃ１）を備えるものである、前記スポーツシューズであって、
前記内側部または中核部（３ｃ）が、地面、または前記ソール（２）の内表面と接触することに適した地面に置かれる部分（３ｃ２）を備え、前記アッパー形状部分（３ｃ１）は、前記地面に置かれる部分（３ｃ２）から立ち上がっており、
前記内側部または中核部（３ｃ）が、スポーツ活動の間において、快適性と、運動競技的な性能と、前記使用者による前記ソール（２）へのエネルギーの伝達と干渉しないような、前記使用者の足への密着性と厚みとを有しており、
前記内側部または中核部（３ｃ）は、伸縮性のある布および／または織布で作られ、前記伸縮性のある布および／または織布は、発泡体の層で積層された高通気性を有する布、またはポリクロロプレンを基にした合成ゴムである、スポーツシューズ。
【請求項２】
前記内側部または中核部（３ｃ）は、前記シューズから取外し可能であるか、または取外し可能な拘束手段を通じて前記アッパー（３）に拘束されるものである、請求項１に記載のスポーツシューズ。
【請求項３】
前記スポーツシューズは自転車用シューズである、請求項１に記載のスポーツシューズ。
【請求項４】
前記アッパー形状部分（３ｃ１）は、前記使用者の足の挿入のための穴（３００）を備え、前記アッパー形状部分（３ｃ１）は、環状または管状の構成要素を備える、請求項１〜３のいずれか一項に記載のスポーツシューズ。
【請求項５】
前記アッパー形状部分（３ｃ１）は単一部品で作られる、請求項１〜４のいずれか一項に記載のスポーツシューズ。
【請求項６】
前記内側部または中核部（３ｃ）は、伸縮性がある布および／または織布で作られ、前記伸縮性のある布および／または織布は、少なくとも、通気性があるか、不浸透性であるか、足にぴったりと密着するか、軽量であるか、消臭であるか、または洗うことができる、請求項１に記載のスポーツシューズ。
【請求項７】
前記内側部または中核部（３ｃ）は、伸縮性のある布および／または織布から作られ、前記伸縮性のある布および／または織布は、円形状で織られるか、管状に織られるか、縫い目を有さないか、または前記内側部または中核部（３ｃ）のヒール（８）の後方部に単一の縫い目を有する、請求項１〜６のいずれか一項に記載のスポーツシューズ。
【請求項８】
前記伸縮性のある布および／または織布は、合成ポリウレタン繊維、ライクラ、エラスタム、もしくはマイクロファイバから作られた布、又は、
微小孔性ポリテトラフルオロエチレンもしくは他の通気性繊維からなる、高不浸透性能と高通気性能とを有する合成繊維の布、と結合されている、請求項１〜７のいずれか一項に記載のスポーツシューズ。
【請求項９】
前記内側部または中核部（３ｃ）は、伸縮性のある布および／または織布から作られ、前記織布は、少なくとも１本の熱硬化性ポリエステルを備える三次元メッシュであるか、または前記伸縮性のある布および／または織布は、貫通した開口部または部分的に貫通した開口部を備えたメッシュである、請求項１〜８のいずれか一項に記載のスポーツシューズ。
【請求項１０】
前記内側部または中核部（３ｃ）は、所望の形状の前記内側部または中核部（３ｃ）を呈することができる、繊維または炭素繊維を備える複合ヤーン材料を備える伸縮性のある布および／または織布から作られる、請求項１〜９のいずれか一項に記載のスポーツシューズ。
【請求項１１】
前記内側部または中核部（３ｃ）は、検知システム、トランジスタ、ロードセル、またはひずみゲージを備えるヤーンを備える伸縮性のある布および／または織布から作られ、前記内側部または中核部（３ｃ）は、前記使用者の身体の生理学的パラメータまたは生命維持パラメータ、例えば、血圧、カロリー消費、例えば一分間当たりの呼吸数もしくは心拍数、酸素供給、快適性、前記使用者の足の位置、考えられる筋肉のストレス、カリウム輸送、例えば自転車のペダル上で前記足によって及ぼされる力などを検知することができる、請求項１〜１０のいずれか一項に記載のスポーツシューズ。
【請求項１２】
前記内側部または中核部（３ｃ）は、使用の際に、前記シューズに対して長手方向（すなわち前後の方向）、および／または、横断方向（すなわち一側面から他側面に向かう方向）における前記内側部または中核部（３ｃ）の広がり全体に対して一定の厚みを有する、請求項１〜請求項１１のいずれか一項に記載のスポーツシューズ。
【請求項１３】
前記内側部または中核部（３ｃ）は、前記使用者の足の残りの部分の厚みに対して、床上の前記使用者の足を置く領域、および／または、前記使用者の足の甲（または足背）においてより大きな厚みを有するか、または前記内側部または中核部（３ｃ）は、異なる圧縮領域を有するか、もしくは前記使用者の足底アーチあるいは足の甲（または足背）の一部において設置される異なる圧縮領域を有する、請求項１〜１２のいずれか一項に記載のスポーツシューズ。
【請求項１４】
前記地面に置かれる部分（３ｃ２）の前記材料は、目的に適した方法に従って、成形、接着、含浸、縫製、または溶接を通じて、前記内側部または中核部（３ｃ）の前記布または織布に貼付けられる、請求項１〜１３のいずれか一項に記載のスポーツシューズ。
【請求項１５】
前記地面に置かれる部分（３ｃ２）は、地面の上に置くためのトレッドの種類の表面模様を有するか、もしくは滑り止め用溝を備えるか、または前記地面に置かれる部分（３ｃ２）は、前記シューズ（１）の前記ソール（２）の内側部分に存在するそれぞれのチャネルまたはくぼみ、例えば、円錐形または円筒形のチャネルまたはくぼみとかみ合うように嵌ることに適した一連の溝または突起、例えば、円錐形または円筒形の一連の溝または突起を有する、請求項１〜１４のいずれか一項に記載のスポーツシューズ。
【請求項１６】
前記地面に置かれる部分（３ｃ２）は、使用の際に、長手方向（すなわち前後の方向）、および／または、横断方向（すなわち一側面から他側面に向かう方向）の、前記地面に置かれる部分（３ｃ２）の広がり全体に関して、前記使用者の足の長さおよび／または幅に少なくとも部分的に対応する広がり、または前記使用者の足の長さおよび／または幅と等しい広がりを有するか、または前記地面に置かれる部分（３ｃ２）は、前記使用者の足の側縁で少なくとも部分的に立ち上がっている側面部分を備える、請求項１〜１５のいずれか一項に記載のスポーツシューズ。
【請求項１７】
前記内側部または中核部（３ｃ）は、前記ヒール（８）の後方部において、前記使用者の足の挿入のための穴（３００）と、前記足を入れるために前記穴（３００）に配置されたタン（３１０）とを有する、請求項１〜１６のいずれか一項に記載のスポーツシューズ。
【請求項１８】
ランニングシューズまたはサイクリング用シューズのいずれかであるスポーツシューズであり、且つ、ソール（２）と、前記ソール（２）から立ち上がるアッパー（３）とを備えるスポーツシューズにおいて、前記アッパー（３）は、内側部または中核部（３ｃ）を備え、前記内側部または中核部（３ｃ）は、前記内側部または中核部（３ｃ）の内容積によって使用の際に画定される、使用者の足のための内側筐体容積（ＲＺ）を有し、前記内側部または中核部（３ｃ）は前記スポーツシューズの前記アッパー（３）の内側に配置され、かつ、前記内側部または中核部（３ｃ）がアッパー形状部分（３ｃ１）を備えるものである、前記スポーツシューズであって、
前記内側部または中核部（３ｃ）が、地面、または前記ソール（２）の内表面と接触することに適した地面に置かれる部分（３ｃ２）を備え、前記アッパー形状部分（３ｃ１）は、前記地面に置かれる部分（３ｃ２）から立ち上がっており、
前記内側部または中核部（３ｃ）が、スポーツ活動の間において、快適性と、運動競技的な性能と、前記使用者による前記ソール（２）へのエネルギーの伝達と干渉しないような、前記使用者の足への密着性と厚みとを有しており、
前記地面に置かれる部分（３ｃ２）は、前記内側部または中核部（３ｃ）のソールとして働き、かつ、前記部分（３ｃ２）は、７０と８０との間で構成されるショア００の硬度を有する材料、ポリマー材料、ゴム、シリコーン、ポリウレタン、熱可塑性ゴム、加硫ゴム、または衝撃吸収材料を備える、スポーツシューズ。
【発明の詳細な説明】
【技術分野】
【０００１】
本発明は、スポーツシューズ、例えば、ランニングシューズ、またはサイクリングのためのシューズ、もしくはスキー、スノーボードなどのスポーツのためのシューズに関し、特に、こうしたスポーツシューズの内側部または中核部に関する。
【背景技術】
【０００２】
スポーツシューズは一般的には、多かれ少なかれ強靭な材料で作られたアッパーと、それらシューズが想定されたスポーツに適合されるようにできる限り形状を合わされたソールとを備える。
【０００３】
スポーツシューズはまた、使用者に対するある程度のレベルの快適性を取得するために、通気性のある材料で一般的には作られる、アッパーの内側部を備える。こうした内側部は通常、アッパー自体と一体化されているか、またはアッパー自体と単体で作られる。
【０００４】
さらに、サイクリングシューズは、自転車のペダルに結合するシステムをサイクリングシューズの下側部に装備したソールを有し、そのシステムは、ペダルを踏む間に使用されるが、そのシステムは、心地よいものではなく、使用者が歩くためにこうしたシューズを使用しなければならないときには損傷され得る。
【０００５】
他の種類のシューズ、例えば、スキーブーツおよびスノーボードブーツは、非常に硬く、それらもまた、スキー板やスノーボードに取付けるための特定の形状を提供されたソールを有する。この場合も同様に、こうしたブーツを履く使用者にとっては、歩行が快適ではなく、歩行を行うことが容易ではない。
【０００６】
こうしたスポーツシューズはさらに、性能の最適化を確実なものにするように運動を制御するために使用者の足がアッパーにしっかりと密着することを必要とする。
【０００７】
さらに、シューズそれ自体において、重量が制限されたものであることと、良好な空気力学的特性を有することとを必要とする。
【０００８】
さらに、使用者に対する快適性を向上させ、歩行の際であっても使用者の運動を容易にすることにより、使用者が運動競技的な活動を特に行っていないときであっても快適であり融通が利く（versatile）シューズが求められる。
【０００９】
したがって、重量の制限および足の運動の制御力の向上という通常の要件に加えて、シューズが履かれる間中、またはシューズが履かれなければならない間中、したがって、それらのシューズが想定されたスポーツを行う間以外にも高い快適性を使用者に提供もするスポーツシューズを提供する必要性が認められる。
【先行技術文献】
【特許文献】
【００１０】
【特許文献１】（特に無し）
【発明の概要】
【発明が解決しようとする課題】
【００１１】
本発明の技術的課題は、従来技術の状態を改善することである。
【００１２】
こうした技術的課題の範囲において、本発明の１つの目的は、使用者にとって心地よいスポーツシューズを取得することである。
【００１３】
本発明の別の目的は、良好な運動性能を使用者に与えながら、重量の制限と足の運動の制御能とを維持するシューズを提供することである。
【００１４】
本発明のさらなる目的は、使用者が歩行しなければならないときでさえも、したがって運動競技を行っている間以外でも快適に使用することができるシューズを提供することである。
【課題を解決するための手段】
【００１５】
この課題とこれらの目的とは、添付の請求項１に従ったスポーツシューズによって実現される。
【００１６】
従属請求項は、本発明の好適な実施形態および有利な実施形態に言及する。
【００１７】
本発明の他の特性および他の利点は、図面の組において例として明示されたシューズの実施形態の記載からさらに明らかになる。図面の組において、均等な構成要素または均等な部分は同じ参照番号で印をつけられている。
【図面の簡単な説明】
【００１８】
【図１】図１は、本発明におけるシューズの分解斜視図である。
【図２】図２は、本発明におけるシューズの斜視図である。
【図３】図３は、本発明におけるシューズの一形態の斜視図である。
【図４】図４は、本発明におけるシューズの内側部または中核部の背面図である。
【図５】図５は、図４に準じた内側部または中核部の底面背面図である。
【図６】図６は、図４および図５に準じた内側部または中核部の側面図である。
【図７】図７は、本発明におけるシューズの一形態の内側部または中核部の拡大された詳細図である。
【図８】図８は、本発明におけるシューズの側面図である。
【発明を実施するための形態】
【００１９】
添付の図面において、参照番号（または符号）１は、本発明に従ったスポーツシューズ全体を示す。
【００２０】
以下の記載、および添付の図面は、サイクリングのためのスポーツシューズについて言及するが、具体的に明示された例に全く限定することなく、あらゆる種類のスポーツシューズが想定（intend）されている。
【００２１】
シューズ１はソール２を備える。
【００２２】
シューズ１はまたアッパー３を備える。アッパー３はソール２から立ち上がっている。
【００２３】
例えば、図１および図３に明示された、本発明の一実施形態において、アッパー３は、少なくとも部分的には相互に（すなわち、互いに対して）動かすことができる二つ、またはそれを超える部分３ａ、３ｂを備えることができる。
【００２４】
相互に動かすことができる部分に関して、これらの部分は互いに対して動かされることができ、そして両方とも動かすことができるか、または一方は固定され、および他方が最初のものに対して動かすことができる。
【００２５】
特に、こうした実施形態において、アッパー３は、固定部分３ａと、該固定部分３ａに対して少なくとも部分的に動かすことができる可動部分３ｂとを備えることにより、シューズ１の内側の使用者の足のために筐体のサイズ、すなわち容積ＲＺを調節する。
【００２６】
さらに、シューズ１またはアッパー３は、内側部または中核部３ｃを備える。内側部または中核部３ｃは、アッパー３の内側被覆物またはライナである。
【００２７】
使用者の足のための筐体容積ＲＺは、シューズ１および／または内側部または中核部３ｃの内側である。
【００２８】
使用者の足のための内側筐体容積ＲＺは、使用の間、アッパー３の内表面とソール２の内表面とによって画定される。
【００２９】
内側部または中核部３ｃは、使用者の足のための筐体容積ＲＺを画定する。
【００３０】
内側部または中核部３ｃの周りに、アッパー３が配置されるか、または特定の実施形態において、少なくとも部分的に相互に動かすことができる部分３ａ、３ｂが、設置され、配置される。
【００３１】
内側部または中核部３ｃは、伸縮性のある布および／または織布材料（または織布、woven material）で作られる。内側部または中核部３ｃは、シューズ１のインナーソックスとして働くか、またはアッパー３の内側通気性部として働く。
【００３２】
内側部または中核部３ｃは、以下で詳細に記載される理由のために、昔ながらの靴下（sock）を先に履くことなく、スポーツシューズ１を履くことができる使用者のための靴下として実質的に働くことができる。
【００３３】
内側部または中核部３ｃは、使用者のために個人化することができる。なぜならば、例えば、寒さから足を守ることができる材料で作られた「冬」版が提供されることができ、例えば、熱から足を守ることができる材料、もしくはより高い通気性を確実なものにすることができる材料、または厚みがより少ない材料で作られた「夏」版が提供されることができ、または例えば、春または秋のためのあらゆる「中間」版が提供されることができるからである。
【００３４】
内側部または中核部３ｃはまた、使用者の快適性と能力とを向上させるために、特定のウインドブレーカ材料を有することができる。
【００３５】
本発明の一実施形態において、シューズ１の内側部または中核部３ｃが作られる材料は、不浸透性である。
【００３６】
本発明の一実施形態において、スポーツシューズ１の内側部または中核部３ｃには、使用者の必要に応じて、異なる特性を提供でき、あるいは、任意の追加物を提供することができる。
【００３７】
内側部または中核部３ｃは、シューズ１から取外し可能である。特に、前記アッパー３と前記内側部または中核部３ｃとは、本発明の一実施形態において、取外し可能な型（removable type）の相互拘束具（mutual constraints）を有する。
【００３８】
本発明のさらなる一実施形態において、内側部または中核部３ｃは、アッパー３との拘束具を有していない。この場合、内側部または中核部３ｃは、使用者の足上でシューズのアッパー自体を締めることを通じて足に固定される。
【００３９】
こうした特性は、以下でより良く述べられるように、シューズ１自体の使用の際に大きな融通性を使用者に与える。
【００４０】
こうした方法で、使用者は、例えば、シューズ１から内側部または中核部３ｃを抜き出すことができる。サイクリングシューズ１は、自転車のペダルに結合するシステムを提供されたソールを有するので、内側部または中核部３ｃを抜き出した使用者は、容易に歩くことができ、硬いアッパーによって、および／または、取付けシステムを提供されたソールによって負担をかけられず、自転車のペダルを結合するシステムや取付けシステムを損傷するリスクを伴わない。
【００４１】
さらに、内側部または中核部３ｃは取外し可能であるという事実のおかげで、内側部または中核部３ｃは、容易に洗浄され再使用されることができる。
【００４２】
内側部または中核部３ｃが取外し可能である場合、内側部または中核部３ｃは、必要に応じて、または損傷や摩耗の場合に交換されることができる。
【００４３】
こうした利点に従って、内側部または中核部３ｃ自体がシューズとして働き、こうした特定の使用に従って、こうした内側部または中核部３ｃにおいて、アッパー形状部分３ｃ１、すなわち（内側部または中核部３ｃがシューズ１から引抜かれたときに）アッパーとして働く部分と、地面に置かれる部分３ｃ２、すなわち（内側部または中核部３ｃがシューズ１から引抜かれたときに）ソール部分として働く部分とが区別されることができる。
【００４４】
アッパー形状部分３ｃ１は、地面に置かれる部分３ｃ２から直立する。
【００４５】
アッパー形状部分３ｃ１は、使用者の足の挿入のための穴３００を定め、環状および／または管状の構成要素によって構成される。
【００４６】
特に、穴３００が、地面と実質的に平行な平面上にあり、穴３００の外周縁（peripheral edge）が、実質的にこの平面上にある横断方向の断面を有することを考慮すると、アッパー形状部分３ｃ１、またはアッパー形状部分３ｃ１の環状および／または管状の構成要素は、穴３００から始まって地面に置かれる部分３ｃ２まで続く徐々に大きくなる横断方向の断面を有する側壁を有する。
【００４７】
本発明の実施形態において、アッパー形状部分３ｃ１は単一部品（single piece）として作られる。
【００４８】
特に、アッパー形状部分３ｃ１は、シューズ１のアッパー３および使用者の足と接触するように適応させられ、地面に置かれる部分３ｃ２は、シューズ１のソール２および使用者の足と接触するように、特に、ソール２の、使用者の足に向けられた部分と接触するように適応させられる。したがって、内側部または中核部３ｃの地面に置かれる部分３ｃ２は、シューズ１から引き出されたときに、地面と接触することができるか、またはアッパー３の中に挿入されたときに、ソール２の内表面と接触することができる。
【００４９】
内側部または中核部３ｃは、運動競技的な活動を行う間に、快適性の観点からでもなく、運動性能の観点からでもなく、内側部または中核部３ｃの存在によって使用者自身が困らないような方法で、使用者の足に完全に密着するような方法で作られる。
【００５０】
さらに、この方法で、内側部または中核部３ｃは、どのようなサイズの足の使用者にも適応させられ、足自体における特定の圧力点を排除する。
【００５１】
例えば、本発明の一実施形態において、地面に置かれる部分３ｃ２は、シューズ１のソール２の内側部に存在するそれぞれのチャネルまたはくぼみ、例えば、円錐形または円筒形のチャネルまたはくぼみと相補的な方法で嵌るように適応させられた一連の溝または突起、例えば、円錐形または円筒形の溝または突起を有することができる。こうした方法で、内側部または中核部３ｃは、シューズ自体のソール２の内側部に対して内側部または中核部３ｃが動くことなく、シューズ１の中に安定して配置される。この利点が使用者のパフォーマンスを向上させる。
【００５２】
内側部または中核部３ｃは、上述の通り、伸縮性のある布、および／または、織布で作られる。こうしたメッシュは、円形機械によって生じるので、織布は、実質的に縫い目を有していない管状の織物要素である。
【００５３】
本発明の一実施形態において、内側部または中核部３ｃは、単一部品（single piece）で作られ、内側部または中核部３ｃが作られる材料の伸縮性のおかげで、以下でより良く定義される穴３００を通じて使用者の足上で着用されることができる。
【００５４】
内側部または中核部３ｃが作られる材料は、本発明の一実施形態において、約５０から約７０の範囲で構成されるショア００硬度（硬さ）を有してもよい。したがって、内側部または中核部３ｃは柔軟と分類される。
【００５５】
実際、材料は、通常、以下の通りに分類される（表１を参照されたい）。
−特に柔軟：２０から５０のショア００（例えば、チューインガムおよびラケットボールのボール）、
−柔軟：５０から７０のショア００（例えば、ゴムバンド）、
−中程度に柔軟：７０から８０のショア００（例えば、鉛筆用消しゴム）、
−中程度に硬質：８０から９５のショア００（例えば、タイヤ）、
−硬質：９５よりも高いショア００、または２２から３５のショアＤ（例えば、シューズのヒール）、
−特に硬質：３５から７３を超えるショアＤ（例えば、ショッピングカートの車輪、または硬い材料のキャップ）。
【００５６】
【表１】
0006549589.tif 000002
【００５７】
内側部または中核部３ｃ、または少なくとも、内側部または中核部３ｃのアッパー形状部分３ｃ１に使用可能な考えられる材料は、述べられた通り、伸縮性のある材料および／または織布、例えばアリアプレン（Aeriaprene）という名称で商品化されているような、発泡体の層で積層された高通気性を有する布、又は、例えばネオプレン（Neoprene）という名称で商品化されているような、ポリクロロプレン（クロロプレンのポリマー形態）を基にした合成ゴムであり、当該伸縮性のある材料および／または織布は、
例えばライクラ（Lycra）もしくはエラスタム（Elastam）などの合成ポリウレタン繊維、もしくは、マイクロファイバから例えば作られた布、又は、
例えばゴアテックス（Goretex）という名称で商品化されている微小孔性ポリテトラフルオロエチレンもしくは他の通気性繊維からなる、高不浸透性能（impermeability）と高通気性能とを有する合成繊維の布、と組み合わされる可能性がある。
【００５８】
こうした材料は、内側部または中核部３ｃにおいて以下の利点を付与する。すなわち、重量の制限、防臭、通気性、易洗浄性（easy washability）に関する利点を付与する。
【００５９】
内側部または中核部３ｃ、または少なくとも、内側部または中核部３ｃのアッパー形状部分３ｃ１に使用可能な別の材料は、少なくとも１本の熱硬化性ポリエステルを備える三次元メッシュであり得る。また、この場合、重量の制限および高通気性という性質は確実なものにされる。
【００６０】
本発明のさらなる実施形態において、内側部または中核部３ｃが作られる材料は、おそらくは熱形成されることなく所望の形状をとることができる、炭素繊維などの繊維を備える複合ヤーン材料（composite yarn material）である。本発明の一実施形態において、内側部または中核部３ｃは、使用者の身体の生理学的パラメータまたは生命維持（vital）パラメータを検知することができる「デバイス」特性を内側部または中核部３ｃに与えることができるヤーンを備える。実際に、こうしたヤーンは、こうした生理学的パラメータまたは生命維持パラメータ、例えば、血圧、カロリー消費、例えば一分間当たりの呼吸数もしくは心拍数、酸素供給、快適性、使用者の足の配置、考えられる筋肉のストレス、カリウム輸送、例えば自転車のペダル上で足によって及ぼされる力などを読み取り、検知するように適応される。
【００６１】
問題になっているヤーンは、要求された値を検知するために、例えば、上記のパラメータを検知するシステム、トランジスタ、ロードセル、またはひずみゲージなどを有することができ、収集されたデータは、通常の様式に従って記録されるか、または伝送されることができる。問題になっているヤーンは、内側部または中核部３ｃの少なくとも一部を構成する伸縮性のある布および／または織布に挿入されることができるか、または問題となっているヤーンは、こうした内側部または中核部３ｃと代替（substitute）することができる。
【００６２】
本発明の一実施形態において、内側部または中核部３ｃは、使用の間、前記シューズに対して、長手方向、すなわち前面から背面、および／または、横断方向、すなわち側面から側面の、内側部または中核部３ｃの全範囲に対して一定の厚みを有することができる。
【００６３】
代替的な実施形態において、内側部または中核部３ｃを構成する様々な区画の厚みは、要件に応じて変えることができる。
【００６４】
例えば、スポーツ活動を行う間、例えばペダルを踏む間に、運動によって生じ始めるエネルギーが、例えば、ペダルまたはスキー板にほぼ完全に伝えられるような方法で、足が置かれることの良好な感覚、使用者の足を支持するだけでなく、内側部または中核部３ｃ自体の足に対する良好な密着性を与えるような方法で、使用者の足の地面に置かれる領域において、および／または、足の甲（または足背）において、より大きな厚みを有することが可能である。
【００６５】
例えば、本発明の一実施形態において、地面に置かれる部分３ｃ２の厚みは、ヒール８の後方部分において約５ｍｍである。
【００６６】
内側部または中核部３ｃの伸縮性のある布、および／または、織布を構成するメッシュの密度を変化させることが可能なおかげで、特定の区画の厚みを変えるために、発泡体などの異なる材料の層を追加する必要がなく、同じ部分で異なる厚みを作り出すことができる。
【００６７】
しかしながら、内側部または中核部３ｃの全体的な厚みは、運動競技的な性能と、スポーツ活動の間に使用者からソール２にエネルギーを伝えることを妨げないようなものである。
【００６８】
さらに、内側部または中核部３ｃにおいて、異なる圧縮を有する領域が、内側部または中核部３ｃの装着の改善を確実なものにするように、例えば、足の足底アーチまたは甲の一部に提供されることができる。
【００６９】
内側部または中核部３ｃを構成する伸縮性のある布および／または織布における拡大詳細図が図７で明示される。見て明らかなように、こうした材料は、共に接続された一連のメッシュを備え、そのメッシュは、足の通気性、布の柔軟性を同時に可能にし、必要な場合には、布の不透過性をも同時に可能にする。
【００７０】
例えば、こうしたメッシュは、貫通した開口部または部分的に貫通した開口部が提供されたネットを構成することができる。
【００７１】
さらに、述べられたように、こうした特定の材料は、縫い目を伴わないものであるような方法で、または内側部または中核部３ｃもしくはシューズ１のヒール８の後方部分において、すなわち使用者の足の踵領域において１つの縫い目だけを有するものであるような方法で編まれる。
【００７２】
こうした単一の縫い目が存在する場合には、こうした単一の縫い目は、代替的に、こうした内側部または中核部３ｃおよび／またはこうしたスポーツシューズ１を履く使用者を不快にしないような方法で、足に対して最も小さい圧力の地点に配置され得る。
【００７３】
内側部または中核部３ｃの地面に置かれる部分３ｃ２を備える材料は、約７０と約８０との間で構成されたショア００硬度を有してもよい。したがって、その材料は中程度に柔軟と分類される。
【００７４】
地面に置かれる部分３ｃ２は、本発明の一実施形態において、望ましい硬度を有するポリマー材料、例えば、ゴム、またはシリコーン、またはポリウレタン、または熱可塑性ゴム、または加硫ゴムで作られ得る。
【００７５】
地面に置かれる部分３ｃ２がポリマー材料で作られる場合において、こうした材料は、成形、接着（gluing）、縫製、溶接、または目的に適したその他の方法によって、内側部または中核部３ｃの布または織布に貼付けられることができる。さらに、地面に置かれる部分３ｃ２のポリマー材料は、トレッド（tread）の表面模様と同様な、地面に置くための表面模様を有することができるか、または滑り止め用溝が備えられた表面模様を有することができる。
【００７６】
本発明の一実施形態において、内側部または中核部３ｃの地面に置かれる部分３ｃ２は、地面に置かれる部分３ｃ２の外周部においてアッパー形状部分３ｃ１に接続される、上記のポリマー材料の層で構成される。言い換えると、地面に置かれる部分３ｃ２において、内側部または中核部３ｃを構成する布または織布は存在しない。こうした場合において、布または織布は従来の非円形の種類のものである。
【００７７】
あるいは、ポリマー材料層は、アッパー形状部分３ｃ１を構成する布または織布を覆うことができ、場合により、そのポリマー材料層は、アッパー形状部分３ｃ１を構成する布または織布上に含浸（impregnate）されることが考えられる。
【００７８】
ポリマー材料層を備える地面に置かれる部分３ｃ２は、使用者の足の全長にわたって広がっており、使用者の足の横方向縁で部分的に持ち上がる（rise）ことが考えられ、言い換えると、地面に置かれる部分３ｃ２は、長手方向、すなわち前面から背面、および／または横断方向、すなわち側面から側面の、地面に置かれる部分３ｃ２の広がり（extension）に関して、使用の間、使用者の足の長さおよび／または幅と少なくとも部分的に対応する広がり、または使用者の足の長さおよび／または幅と等しい広がりを有し、および／または使用者の足の横方向縁上で少なくとも部分的に持ち上がる横方向部分を備える。
【００７９】
内側部または中核部３ｃの地面に置かれる部分３ｃ２は緩衝材でもある。
【００８０】
本発明の一実施形態において、内側部または中核部３ｃは、使用者の足を挿入するための穴３００を有し、内側部または中核部３ｃは、足自体によって占められる空間ＲＺを画定することが図において明示される。
【００８１】
ヒール８の後方部分における、足を入れるための穴３００において、内側部または中核部３ｃは、タン（tongue）３１０を有し、使用者が、こうしたタン３１０を握ることにより、内側部または中核部３ｃの中の足の挿入を容易にするように、および／または内側部または中核部３ｃ内の足の抜き出し、すなわち内側部または中核部３ｃから出ることを容易にするようなのものである。
【００８２】
本発明の代替的な実施形態において、タン３１０が存在しないことが図２に明示されている。
【００８３】
本発明の一実施形態において、上述の通り、アッパー３の相互に動かすことができる部分３ａ、３ｂは、マスク構成要素（mask component）によって構成され、マスク構成要素は、内側部または中核部３ｃを覆うか、または包むように内側部または中核部３ｃの周りに設置され、こうした場合、相互に動かすことができる部分３ａ、３ｂを相互に動かすことによって内側部または中核部３ｃの形状または構成を改変することにより、筐体容積ＲＺを変化させることができる。
【００８４】
動かすことができる部分３ａ、３ｂは、内側部または中核部３ｃよりも堅い材料、例えば、プラスチック材料または複合材料で作られることができる。
【００８５】
内側部または中核部３ｃは、取外し可能な方法、例えば、取外し可能なタイプの拘束手段によってスポーツシューズ１のアッパー３に拘束されることができる。
【００８６】
本発明の一実施形態において、内側部または中核部３ｃは、アッパー自体に拘束されることなく、アッパー３に挿入されるだけである。
【００８７】
したがって、内側部または中核部３ｃが、軽量であり、融通が利き、快適である場合には、内側部または中核部３ｃは、実際に、上記の利点を生み出すことができることが分かる。
【００８８】
シューズ１は、アッパー３の相互に動かすことができる部分３ａ、３ｂのための締付け−解放手段４、５を備える。本発明の非限定的な例において、図８に見ることができるように、締付け−解放手段４、５は、サイクリングシューズに適用される。
【００８９】
本発明の一実施形態に従って、締付け−解放手段４、５は、例えば、１または複数のケーブル要素（cable element）４、５を備えることができ、明示された例に従うと２つのケーブル要素４、５を備えることができる。ケーブル要素は、本発明の一実施形態において、鋼鉄で作られる。
【００９０】
ケーブル要素４、５は、相互に動かすことができる部分３ａ、３ｂの一方、好適には可動部分３ｂに固定されたそれぞれの第１の端４ａ、５ａを備える。
【００９１】
ケーブル要素４、５はまた、相互に動かすことができる部分３ａ、３ｂの他方、好適には固定部分３ａと係合可能に調節可能なそれぞれの第２の端４ｂ、５ｂを備える。
【００９２】
本発明の別の局面に従って、シューズ１は、締付け−解放手段４、５を制御するための手段を備える。
【００９３】
制御手段は、シューズ１の後部、好適にはシューズ１のヒール８、すなわち、踵を包むことを意図された部分、すなわち、いずれの場合においても、使用者の足の後方部で動作可能であるか、または配置されることができる。
【００９４】
一実施形態において、制御手段は、相互に動かすことができる部分３ａ、３ｂの長手方向の接近および／または取外しのための少なくとも１つの構成要素、すなわち、シューズ１の前面から背面の長手方向軸に沿って動作する少なくとも１つの構成要素を含む。
【００９５】
さらに、制御手段は、相互に動かすことができる部分３ａ、３ｂの一方を互いに対して持ち上げるため、および／または下げるための構成要素を備えることができる。
【００９６】
長手方向の接近−取外しのための構成要素は、締付け−解放手段４を制御すること、すなわち、前面から背面に向かって内側部または中核部３ｃを係合するように、相互に動かすことができる部分３ａ、３ｂを前面−背面方向で締付けること、または背面から前面に向かって内側部または中核部３ｃを係合するように、相互に動かすことができる部分３ａ、３ｂを背面−前面方向で締付けることを意図される。
【００９７】
好適には、接近−取外し構成要素は、内側部または中核部３ｃを締付けるように、後面に向かって、そして固定部分３ａに向かって可動部分３ｂの少なくとも一部を動かすことを意図されるか、または接近−取外し構成要素は、内側部または中核部３ｃの広がりを可能にするように、前面に向かって（すなわち、固定部分３ａから離れるように）可動部分３ｂの少なくとも一部分を動かすことを意図される。
【００９８】
代わりに、持ち上げる構成要素は、相互に動かすことができる部分３ａ、３ｂの２つの部分を垂直方向に相互に締付けるために、そして、部分３ａ、３ｂによって、底面から上面に、または上面から底面に内側部または中核部３ｃを締付けるために、締付け−解放手段５を制御することを意図される。
【００９９】
好適には、持ち上げる構成要素は、内側部または中核部３ｃを締付けるために固定部分３ａに向かって下方向に、または内側部または中核部３ｃを解放するために固定部分３ａから上方向にあるいは離れるように可動部分３ｂの少なくとも一部を動かすことを意図される。
【０１００】
またさらに好適には、制御手段は、相互に動かすことができる部分３ａ、３ｂの一方、所望される場合は、固定部分３ａに設置された少なくとも１つのピニオン要素だけでなく、ラック要素９ａ、９ｂをも備え、ラック要素９ａ、９ｂは、一方の側において、相互に動かすことができる部分の他方３ｂに固定されたそれぞれのケーブル要素４、５に拘束され、他方の側において、１以上のそれぞれのピニオン構成要素によって係合可能である。
【０１０１】
ラック要素９ａ、９ｂの第１の端は、例えば、接着、溶接を介して、またはこうした第１の端に形成されたスロットにケーブル要素４、５を挿入し係止することによって、それぞれのケーブル要素４，５に固定されることができる。
【０１０２】
ラック要素９ａ、９ｂの他方の端、すなわち第２の端は、自由であり得るが、ラック要素の中間部分は、それぞれのピニオン構成要素とかみ合う係合で摺動可能（slidably）に設置される。
【０１０３】
ピニオン構成要素は、実質的に水平方向軸回りで、すなわち前面−背面方向で、例えば、アッパーに対して横断方向で、ピニオン構成要素の内側に向かって外側から回転可能に設置されることができるが、少なくとも一方のラック要素９ａ、９ｂは、好適には実質的に平行方向の位置を有することができ、筐体容積ＲＺの周囲で、ある方向に広がることができる。
【０１０４】
ピニオン構成要素は、ヒール８に回転可能に設置されることができるが、それぞれのラック要素９ａ、９ｂは、それぞれのピニオン要素とかみ合う係合で摺動可能に誘導される。
【０１０５】
こうした目的のために、固定部分３ａは、全体的に、または部分的に、閉じた貝殻状の本体を有し、少なくとも１つのラック要素９ａ、９ｂの摺動および誘導のために適切な形状にされた区画を定めることができ、閉じた貝殻状の本体においては、少なくとも１つのピニオン要素もまた突出している。
【０１０６】
所望される場合には、固定部分３ａの貝殻状の本体は、突出部または浮彫りの部分を備え、少なくとも１つのラック要素９ａ、９ｂの滑動および誘導の区画を定めることができる。
【０１０７】
有利なことに、少なくとも１つのケーブル要素４、５は、２つの相互に動かすことができる部分３ａ、３ｂの局所的ではない全体的な締付けまたは解放が、制御手段の動作を制御することによって決定されるように、複数の区画において可動部分３ｂと係合する。
【０１０８】
こうした目的のために、ケーブル要素４は、可動部分３ｂの中間区画または下側区画において可動部分３ｂに拘束され、可動部分３ｂと固定部分３ａとの間、またはこうした部分の一方３ｂの分割された区域の間で、１またはそれを超える回数（明示された実施形態に従うと３回）戻されることができる。
【０１０９】
これは、例えば、こうした部分３ａ、３ｂ、または部分３ｂの分割された区域において形成された鳩目の中にケーブル要素４を通過させること、またはそれに続いて戻すことによって取得されることができる。
【０１１０】
鳩目は、ケーブル要素４が、可動部分３ｂの後方縁１３ａの先端に到達するか、または後方縁１３ａの先端で突出し、したがって、固定部分３ａの前方縁１２ａに到達するか、または前方縁１２ａで突出し、そこから制御手段に伝えられるまで、したがって、それぞれのラック要素９ａが提供される場合には、それぞれのラック要素９ａに伝えられるまで、アッパーの異なる高さ、および部分３ａ、３ｂの一方または両方の異なる高さで配列される。
【０１１１】
所望される場合には、固定部分３ａおよび／または可動部分３ｂにおいて、ケーブル要素４の誘導および滑動のために、挿入溝が提供されることができる。
【０１１２】
ケーブル要素４は、制御手段の長手方向の取外し、すなわち前面−背面の取外しのための構成要素を構成することができる。
【０１１３】
ケーブル要素５が、可動部分３ｂの後方縁１３ａに到達し、そこから固定部分３ａの前方縁１２ａに向かって伝えられ、それから制御手段に伝えられ、したがって、それぞれのラック要素９ｂに提供される場合には、それぞれのラック要素９ｂに伝えられるまで、ケーブル要素５もまた、可動部分３ｂの前方区画において、可動部分３ｂに拘束され、アッパーの長手方向の異なる位置の区画において配列されたそれぞれの鳩目の中にケーブル要素５を通すことによって、可動部分３ｂと固定部分３ａとの間、またはこうした部分の一方３ｂの分割された区画の間で、１またはそれを超える回数（明示された実施形態に従うと３回）戻されることができる。
【０１１４】
また、こうした場合において、固定部分３ａおよび／または可動部分３ｂにおいて所望される場合には、ケーブル要素５の挿入および滑動のために、溝が提供されることができる。
【０１１５】
ケーブル要素５は、相互に動かすことができる部分３ａ、３ｂを相互に持ち上げる−下げるための構成要素７を代表することができる。
【０１１６】
一実施形態に従って、第１のケーブル要素４は、使用の間、上方にあり、それぞれのラック要素９ａから固定部分３ａの前方縁１２ａに広がっており、所望される場合には、こうした縁の先端に広がっており、そこから第１のケーブル要素４が、可動部分３ｂに係合するまで、所望される場合には可動部分３の先端に係合するまで、第１のケーブル要素４は、固定部分３ａを超えて広がっている。
【０１１７】
一つまたはそれを超えるピニオン構成要素がまた、外側頭部、またはソール２の外側に突出する頭部を有することができ、歯車もしくは同種のもの、または歯車が設置される軸もまた、外側頭部から広がることができる。
【０１１８】
有利なことに、制御手段はまた、ピニオン構成要素の回転を制御するためのレバー１０を備え、レバー１０は、弾性的に負荷をかけられることができる。
【０１１９】
好適には、制御レバー１０は弾性的に負荷をかけられるが、ピニオン構成要素６の結果として生じる回転に伴う、制御レバー１０のそれぞれの角度のある運動または作動の後に、制御レバー１０が、休止位置、例えば、実質的に垂直な位置および上方向に広がる自由把持位置に戻るように、制御レバー１０は、それぞれのピニオン構成要素６の回転を制御した後に、それぞれのピニオン構成要素６から脱係合される。したがって、制御レバー１０は、位置戻しバネを有する「ラチェット」または「ラチェットキー」の種類のものであり得、ピニオン構成要素６の一定のピッチとのスナップ式の調節を可能にする。こうした方法のおかげで、使用者はレバー１０の位置（例えば、実質的に垂直な位置）を常に知り、スポーツを行う間、例えば、ペダルを踏む間にも適切にレバー１０に手を伸ばしてレバー１０を制御することができる。
【０１２０】
有利なことに、制御レバー１０は、使用者、例えば、使用者の親指のために心地よい把持表面を提供するために、実質的に湾曲させられ、例えば、らせん状にされる。
【０１２１】
あるいは、ピニオン構成要素の外側頭部において、係合座が、作動ツール、例えば、ねじ回しまたは六角スパナのために定められることができる。
【０１２２】
さらに、ピニオン構成要素は、休止位置（相互に動かすことができる部分３ａ、３ｂが、筐体のサイズ、すなわち容積ＲＺを減少させないように互いに対して緩く拘束される）と、作業位置（相互に動かすことができる部分３ａ、３ｂが、図１のように、互いに対して拘束される、すなわち、筐体のサイズ、すなわち筐体容積ＲＺを減少させるように、または使用者の足の特定のサイズに適合させるように堅く拘束される）との間で動かすことができるものであり得、こうした作業位置に関しては、ピニオン構成要素が、休止位置に対して回転させられ、こうしたピニオンを休止位置に戻すことを意図された解放ボタンが、ピニオンに提供される。
【０１２３】
相互に動かすことができる部分３ａ、３ｂに関して、図に明示された発明の一形態においては、相互に動かすことができる部分３ａ、３ｂは、所望される場合にはＵ形状、例えば、断面が下方向に増加する、実質的に前方のタン部３ｂだけでなく、横方向の後方部３ａをも備えることができ、前方のタン部３ｂと横方向の後方部３ａとは、互いに対して拘束されることができる。
【０１２４】
タン部３ｂは、２つの後方縁１３ａ、１３ｂを有することができ、それぞれ、シューズの一方の側、すなわち内側に一方の後方縁１３ａ、シューズの他方の側、すなわち外側に他方の縁１３ｂを有することができ、２つの後方縁１３ａ、１３ｂは、横方向の後方部に固定され、可能であれば、それぞれの前方縁１２ａ、１２ｂに固定され（固定部分３ａの一方の側に一方の前方縁、他方の側に他方の前方縁）、タン部３ｂは、ソール２に固定された下方縁１４も有することができる。好適には、シューズの外側、すなわち、使用の間に、使用者によって着用された他方のシューズから離れて他方のシューズに向かわないように導かれる側におけるタン部３ｂにおいて、次に、溝１５が、その中に２つの内側縁１６，１７を定めるように形成されることができるが、相互に動かすことができる部分のための締付け−解放手段４、５は、タン部３ｂの内側縁１６、１７を締付け−解放することを意図され、結果として、可動部分３ｂの一方の区域を他方の区域に対して締付け−解放し、それと共に固定部分３ａに対して締付け−解放することを意図される。
【０１２５】
溝１５はタン部分３ｂの自由上方縁１８からタン部分３ｂの先端まで格調させられることができる。さらに詳細には、溝１５は、第１の区域１５ａを有することができ、第１の区域１５ａは、上方縁１８から広がり、わずかに傾斜して進み、またはより進んだ位置もしくは上方端に対して前方付近で下方端を有し、さらに溝１５は、ソール２の実質的に水平、または平行な第２の区域１５ｂを有することができる。
【０１２６】
こうした場合において、ケーブル要素４は、第１の区域１５ａにおいて可動部分３ｂの内側縁１６、１７の間に戻されることができる一方、ケーブル要素５は、第２の区域１５ｂにおいて可動部分３ｂの内側縁１６、１７の間で戻されることができる。
【０１２７】
単一の構成要素を観察することができる、本発明に従ったシューズ１が図１の分解図に明示される。
【０１２８】
さらに、図１に明示された形態（態様）において、可動部分３ｂは、２つの別個の部分３ｂｇ、３ｂｈで提供されることができる。こうした別個の部分３ｂｇ、３ｂｈは、成形、嵌め合い、溶接、または他の技術によって共に固定されることができる。
【０１２９】
部分３ｂｇは、前部であり、使用者の足の甲を実質的に覆う。
【０１３０】
部分３ｂｈは周縁部であり、溝１５を備える。こうした部分３ｂｈは、シューズ自体のための緩衝具として働く。
【０１３１】
部分３ｂｇ、３ｂｈは、組立てられたときに、可動部分３ｂを構成する。
【０１３２】
タン部３ｂ、またはその一部分３ｂｇ、３ｂｈは、例えば、それぞれが他のものと異なる硬度を有する材料で作られた複数の層または構成要素で作られることができる。
【０１３３】
例えば、タン３ｂの前部、すなわち部分３ｂｇは、５０から７０のショア００硬度を有する柔軟な材料で作られることができ、タン３ｂの周縁部、すなわち部分３ｂｈは、７０から８０のショア００硬度を有する中程度に柔軟な材料で作られることができる。
【０１３４】
固定部分３ａは、例えば、それぞれが他のものと異なる硬度を有する材料で作られた複数の層または構成要素で作られることができる。
【０１３５】
例えば、固定部分３ａ、または固定部分３ａの閉じた貝殻状の本体は、７０から８０のショア００硬度を有する中程度に柔軟な材料で作られることができ、ピニオン構成要素６、７が同様に突出するラック要素９ａ、９ｂの適切な形状にされた滑動および誘導の区画、またはラック要素９ａ、９ｂの滑動および誘導の区画を定める浮彫の突出部は、９５を超えるショア００硬度、または２２から３５のショアＤを有する硬質材料で作られることができる。
【０１３６】
特に、シューズ１が、縫い目を伴うことなく完全に組み立てられることが明確に示され、縫い目は、公知のように、使用者の足に対する高圧力点を構成し、アッパー３の強度に関して重要な区画でもある。内側部または中核部３ｃにおいても、こうした圧力点を排除することが計画される。
【０１３７】
ヒール８は、バットレスとして働き、運動競技的な活動、例えば、ペダルを踏むことを行う間に、足の後方領域に特別な安定性を与える。
【０１３８】
本発明の一局面に従って、シューズ１のアッパー３の表面１９は、複数のくぼみ２０を備える。
【０１３９】
以下でより明確になるように、くぼみ２０は、運動競技的な活動、すなわち自転車の前進の際のペダルを踏む動きを行う間に空気によって打撃を加えられるシューズ１のアッパー３の空気力学的抗力を減少させる機能を有する。
【０１４０】
特に、くぼみ２０は、運動競技的な活動、すなわちペダルを踏む動きを行う間に空気によって打撃を与えられるアッパー３の表面１９に乱流制限層の形成を促し、その乱流制限層は、層流制限層の場合において生じるものよりも後で、表面１９自体から分離される。
【０１４１】
したがって、シューズ１の動きは、層流制限層の場合において生成されるものよりも制限された乱流跡を生成するという結果となる。
【０１４２】
このことが、形状抗力によって構成される空気力学的抗力成分を減少させることを可能にする。
【０１４３】
図面に表示された実施形態において、くぼみ２０は、アッパー３の前方領域で特に分散させられる。
【０１４４】
さらに詳細には、くぼみ２０は、アッパー３の可動部分３ｂ上で分散させられる。
【０１４５】
シューズ１の他の実施形態において、くぼみ２０はまた、アッパー３の固定部分３ａ上で分散させられることができる。
【０１４６】
同じ実施形態において、アッパー３の可動部分３ｂにおいて提供されたくぼみ２０の一部は、貫通した開口部、すなわち何らかの種類の鳩目または窓によって構成される。
【０１４７】
この特質は、アッパー３を全体的に軽くすることと、アッパー３をより柔らかくすることに加えて、使用者の足の通気を容易にもする。
【０１４８】
本発明の他の実施形態において、全てのくぼみ２０が非貫通であり得る。
【０１４９】
くぼみ２０は、例えば、楕円形の形状、または実質的に多角形の形状を有するが、くぼみ２０は、それらに限定されることなく、その他任意の適切な形状を有することができる。
【０１５０】
本発明の別の局面に従って、シューズ１のヒール８は、シューズ１のアッパー３の空気力学的抗力をさらに制限するために、運動競技的な活動またはペダルを踏む動きを行う間にシューズ１のアッパー３に打撃を与える空気を誘導することに適した少なくとも１つのチャネル２１を備える。
【０１５１】
さらに詳細には、ヒール８は、アッパー３に打撃を与える空気を誘導することに適した第１および第２のチャネル２１を備える。
【０１５２】
第１のチャネル２１と第２のチャネル２１とは、ヒール８の外側と内側とにそれぞれ配置される。
【０１５３】
チャネル２１は、例えば、それぞれのブリッジ２２によって画定され、それぞれのブリッジ２２は、ヒール８自体によって形成され、シューズ１のソール２の支持表面に対して実質的に垂直に配置される。
【０１５４】
したがって、チャネル２１の区域は、実質的に狭く、やはりソール２の支持表面に対して垂直方向に長い。
【０１５５】
チャネル２１の区域は、所望の空気流条件を取得するような方法で、チャネル２１の一方の端から他方の端で変化することができ、例えば、集束部分は、チャネル２１に沿って空気が移動する間に空気の加速を生じさせることができ、ヒール８の区画に向かって空気を伝えるという有利な効果を有する。
【０１５６】
ラック要素９ａ、９ｂは、固定部分３ａの閉じた貝殻状の本体によって定められた区画に滑動可能に設置されていない場合には、締付け−解放手段４，５のラック要素９ａ、９ｂが、チャネル２１に滑動可能に設置される。
【０１５７】
これは、ヒール８において利用可能な表面領域を最適化することを可能にし、ラック要素９ａ、９ｂを適切に保護する解決策である。
【０１５８】
他の実施形態において、ラック要素９ａ、９ｂは、異なる用途の必要性との関係で、ヒール８の表面の他の区画に配置されることができる。
【０１５９】
ブリッジ２２はまた、制御手段を損傷し得ることが考えられる衝撃、および使用者によって設定された位置を偶然変え得ることが考えられる衝撃から制御手段、特に制御手段の頭部の区画を保護する機能を有する。
【０１６０】
シューズ１はまた、ヒールピース３０を備える。
【０１６１】
ヒールピース３０は、シューズのソール２と一体である。
【０１６２】
ヒールピース３０は、特定の必要性との関係で、例えば、ポリマー材料、または複合材料、あるいはその他任意の適切な材料で作られることができる。
【０１６３】
したがって、ヒールピース３０が作られる材料は、ソール２が作られる材料とは異なることが好ましい。しかしながら、本発明の一部の実施形態において、ヒールピース３０とソール２とは、同じ材料で作られることができる。
【０１６４】
ヒールピース３０は、シューズのソール２と連結されるような形状と厚みとを有する。
【０１６５】
言い換えると、ヒールピース３０は、ソール２と共に、不連続性を欠いた表面を画定するような方法で、他の種類のシューズのようには、ソール２に対して突出しない。
【０１６６】
これは、明らかに、シューズ１の全体的な空気力学的抗力を限定することに寄与する。
【０１６７】
本発明の別の局面に従って、ヒールピース３０は、それぞれのチャネル３１を備え、それぞれのチャネル３１は、シューズ１の全体的な空気力学的抗力を制限するために、事前に構築された経路に向かって空気を伝える。
【０１６８】
チャネル３１は、例えば、複数の分枝を備えることができる。
【０１６９】
いずれの場合においても、ヒールピース３０のチャネル３１は、ヒールピース３０の後方区画に向かって空気を効率的に伝えることを確実なものにすることに適したその他任意の形状を有することができることが明確に述べられる。
【０１７０】
シューズ１の空気力学に関して、空気はアッパー３の前面に打撃を与え、くぼみ２０の存在により、乱流制限層が、アッパー３自体の表面１９に生成され、乱流制限層は、流体流が表面１９から離れないことを確実なものにする。
【０１７１】
この効果は、少なくともアッパー３の前方区画において確実なものにされるが、アッパー３の後方区画においては、流体流は容易に離れることがあり得、結果として空気力学的抗力の増加を伴う。
【０１７２】
しかしながら、ヒール８におけるチャネル２１の存在だけでなく、ヒールピース３０におけるチャネル３１の存在が、感知可能な流対流の離れを伴うことなく、アッパー３の後方に向かって流体流をチャネリングすることを可能にする。
【０１７３】
この効果は、アッパー３の後方領域全体、特に、ヒールピース３０の領域においても取得され、ヒールピース３０だけが明らかに、運動競技的な活動またはペダルを踏む動きを行う間に空気流によって打撃を与えられない。
【０１７４】
したがって、全体的な結果は、公知の種類のスポーツシューズまたはサイクリングシューズに関して、シューズ１の形状抗力をかなり減少させる。
【０１７５】
アッパー３の前方の区画におけるくぼみ２０の存在による、摩擦抵抗の増加はアッパー３の形状抗力の上記の減少によって充分に相殺され、したがって、公知のように、摩擦抵抗の増加と形状抗力の上記の減少との両者の寄与によるものである全体的な空気力学的抗力の結果は、決定的に減少した。
【０１７６】
理解されるように、運動競技的な活動またはペダルを踏む動きを行う際の、シューズ１のアッパー３の空気力学的抗力の減少は、人間−自転車系の前進の間に、中央の運動区画において、またはいずれの場合においてもシューズ１の運動の区画において確かめられる複雑な乱流現象を制限することにかなり寄与する。
【０１７７】
結果として、空気力学的性能が増加し、それは、例えばプロの競技において特に重要な事実である。
【０１７８】
シューズ１のソール２において、前方部分において、公知の種類の自転車のペダル、またはスキー板もしくはスノーボードにソール２を迅速に結合するためのデバイスに接続するための手段が提供されることができる。
【０１７９】
本発明の一実施形態において、ヒールピース３０は、ソール２から取外され、ソール２自体に連結するための固定する手段を装備されることができる。
【０１８０】
さらに一般的には、固定する手段は、ヒールピース３０とソール２との間の安全な接続を確実なものにして偶発的な分離を防ぐことに適したあらゆる種類のものであり得る。
【０１８１】
固定する手段は、使用者がソール２からヒールピース３０を容易に取外すことを可能にする。
【０１８２】
例えば、ヒールピース３０は、歩く際に摩耗をより受けやすい、シューズ１の区画のうちの１つであることが公知である。
【０１８３】
本発明の改変および変化形が、特許請求の範囲によって定義される保護の範囲内で可能である。
【符号の説明】
【０１８４】
１  シューズ（または靴、スポーツシューズ）
２  ソール
３  アッパー
３ａ  （アッパー３の）固定部分
３ｂ  （アッパー３の）可動部分（またはタン部分）
３ｂｇ  タン部分３ｂの前部分
３ｂｈ  タン部分３ｂの周縁部
３ｃ  （アッパー３の）内側部または中核部
３ｃ１  アッパー形状部分
３ｃ２  （アッパーの内側部または中核部３ｃにおける）地面に置かれる部分（ソール部分として働く部分）
４  締め付け開放手段（例えば、ケーブル要素）
４ａ  （ケーブル要素４における可動部分３ｂに固定された）第１の端
４ｂ  （ケーブル要素４における固定部分３ａと係合可能に調節可能な）第２の端
５  締め付け開放手段（例えば、ケーブル要素）
５ａ  （ケーブル要素５における可動部分３ｂに固定された）第１の端
５ｂ  （ケーブル要素５における固定部分３ａと係合可能に調節可能な）第２の端
６  ピニオン構成要素
７  （アッパー３の）固定部分３ａと可動部分３ｂを相互に上げ下げする構成要素
８  ヒール
９ａ  ラック要素
９ｂ  ラック要素
１０  レバー（制御レバー）
１２ａ  （アッパー３の固定部分３ａの）前方縁
１２ｂ  （アッパー３の固定部分３ａの）前方縁
１３ａ  （アッパー３の可動部分３ｂの）の後方縁
１３ｂ  （アッパー３の可動部分３ｂの）の後方縁
１４  ソール２に固定された下方縁
１５  溝
１５ａ  （溝１５の）第１の区域
１５ｂ  （溝１５の）第２の区域
１６  （溝１５、またはアッパー３の可動部分（又はタン部分）３ｂの）内側縁
１７  （溝１５、またはアッパー３の可動部分（又はタン部分）３ｂの）内側縁
１８  （アッパー３の可動部分（又はタン部分）３ｂの）自由上方縁
１９  （アッパー３の）表面
２０  （アッパー３の表面１９における）くぼみ
２１  チャネル
２２  ブリッジ
３０  ヒールピース
３１  （ヒールピース３０における）チャネル
３００  使用者の足の挿入のための穴
３１０  タン
ＲＺ  使用者の足のための筐体容積
【図１】
0006549589.tif 000003
【図２】
0006549589.tif 000004
【図３】
0006549589.tif 000005
【図４】
0006549589.tif 000006
【図５】
0006549589.tif 000007
【図６】
0006549589.tif 000008
【図７】
0006549589.tif 000009
【図８】
0006549589.tif 000010